(57)【要約】【課題】  周波数検出用として適切なビットパターンが設けられていない場合、或いは誤ったビットパターンが検出された場合でも本来のロックすべき周波数を生成する。【解決手段】  ＣＤ再生装置３０には、光ディスク１、スピンドルモータ２、光ピックアップ３、ＲＦ  Ａｍｐ４、サーボ回路５、モータドライバ６、信号処理部７、及びシステムコントローラ８が設けられ、信号処理部７には、２値化回路１１、ＰＬＬ＆同期検出部１２、ＥＦＭ復調回路１３、ＥＣＣ１４、及びＤ／Ａ１５が設けられている。ＰＬＬ＆同期検出部１２には、周波数検出回路２１、同期検出回路２２、サブコードブロック検出回路２３、位相検出回路２４、周波数検出出力制御回路２５、回路定数変更回路２６、ＰＬＬ＆ＣＬＶサーボ回路２７、調整端子Ｐａｄ１、及び調整端子Ｐａｄ２が設けられ、誤ったビットパターンを検出した場合でも本来のロックすべき周波数を生成する。【選択図】  図１
2006155824.tif 000002
【特許請求の範囲】
【請求項１】
光ディスクから読み取られ、変調された変調信号及びクロック信号を入力し、前記変調信号のメインデータ領域に設けられたビットパターンから、前記ビットパターンにもとづいた周波数信号を検出する周波数検出手段と、
前記ビットパターンが所定のビットパターンの場合、基準となる第１の周波数信号を入力し、前記第１の周波数信号から再生クロック信号を生成し、前記ビットパターンが前記所定のビットパターンと異なる場合、前記第１の周波数信号とは異なる第２の周波数信号を入力し、前記第２の周波数信号を前記第１の周波数信号に変換して前記再生クロック信号を生成し、前記再生クロック信号及び前記クロック信号を出力するＰＬＬ部と、
前記変調信号及び前記ＰＬＬ部から出力された同期をとるためのクロック信号を入力し、同期検出を行う同期検出手段と、
前記変調信号を入力し、前記所定ビットパターンが検出された場合、所定期間内のサブコード或いはＩＤコードが連続して読み取ることができるかの判定を行うコード検出回路と、
前記周波数検出回路から出力された前記周波数信号、前記同期検出回路から出力された同期検出信号、及び前記コード検出回路から出力された周波数検出出力制御信号を入力し、前記第１の周波数信号の場合、前記第１の周波数信号を前記ＰＬＬ部に出力し、前記所定期間内の前記サブコード或いは前記ＩＤコードが連続して読み取ることができない場合、前記第２の周波数信号を前記ＰＬＬ部に出力する周波数検出出力制御手段と、
を具備することを特徴とする光ディスク再生装置。
【請求項２】
光ディスクから読み取られ、８−１４変調された変調信号及びクロック信号を入力し、前記変調信号のメインデータ領域に設けられたビットパターンから、前記ビットパターンにもとづいた周波数信号を検出する周波数検出手段と、
前記ビットパターンが所定のビットパターンの場合、基準となる第１の周波数信号を入力し、前記第１の周波数信号から再生クロック信号を生成し、前記ビットパターンが前記所定のビットパターンと異なる場合、前記第１の周波数信号とは異なる第２の周波数信号を入力し、前記第２の周波数信号を前記第１の周波数信号に変換して前記再生クロック信号を生成し、前記再生クロック信号及び前記クロック信号を出力するＰＬＬ部と、
前記変調信号及び前記ＰＬＬ部から出力された同期をとるためのクロック信号を入力し、同期検出を行う同期検出手段と、
前記変調信号を入力し、前記ビットパターンが検出された場合、所定期間内のサブコードが連続して読み取ることができるかの判定を行い、前記ビットパターンが検出されない場合、周波数検出出力制御信号を出力するサブコードブロック検出回路と、
前記周波数検出回路から出力された前記周波数信号、前記同期検出回路から出力された同期検出信号、及び前記サブコードブロック検出回路から出力された周波数検出出力制御信号を入力し、前記第１の周波数信号の場合、前記第１の周波数信号を前記ＰＬＬ部に出力し、前記所定期間内の前記サブコードが連続して読み取ることができない場合、前記第２の周波数信号を前記ＰＬＬ部に出力する周波数検出出力制御手段と、
を具備することを特徴とする光ディスク再生装置。
【請求項３】
光ディスクから読み取られ、８−１６変調された変調信号及びクロック信号を入力し、前記変調信号のメインデータ領域に設けられたビットパターンから、前記ビットパターンにもとづいた周波数信号を検出する周波数検出手段と、
前記ビットパターンが所定のビットパターンの場合、基準となる第１の周波数信号を入力し、前記第１の周波数信号から再生クロック信号を生成し、前記ビットパターンが前記所定のビットパターンと異なる場合、前記第１の周波数信号とは異なる第２の周波数信号を入力し、前記第２の周波数信号を前記第１の周波数信号に変換して前記再生クロック信号を生成し、前記再生クロック信号及び前記クロック信号を出力するＰＬＬ部と、
前記変調信号及び前記ＰＬＬ部から出力された同期をとるためのクロック信号を入力し、同期検出を行う同期検出手段と、
前記変調信号を入力し、前記ビットパターンが検出された場合、所定期間内のＩＤコードが連続して読み取ることができるかの判定を行い、前記ビットパターンが検出されない場合、周波数検出出力制御信号を出力するＩＤコード検出回路と、
前記周波数検出回路から出力された前記周波数信号、前記同期検出回路から出力された同期検出信号、及び前記ＩＤコード検出回路から出力された周波数検出出力制御信号を入力し、前記第１の周波数信号の場合、前記第１の周波数信号を前記ＰＬＬ部に出力し、前記所定期間内の前記ＩＤコードが連続して読み取ることができない場合、前記第２の周波数信号を前記ＰＬＬ部に出力する周波数検出出力制御手段と、
を具備することを特徴とする光ディスク再生装置。
【請求項４】
前記所定のビットパターンは、１０Ｔ、１０Ｔ＋１０Ｔ、１１Ｔ、或いは１１Ｔ＋１１Ｔであることを特徴とする請求項１又は２に記載の光ディスク再生装置。
【請求項５】
前記所定のビットパターンは、１４Ｔであることを特徴とする請求項１又は３に記載の光ディスク再生装置。
【発明の詳細な説明】
【技術分野】
【０００１】
本発明は、ディスク中に記憶された情報を再生するＣＤ（Compact  Disc）やＤＶＤ（Digital  Versatile  Disc）などの光ディスク再生装置に関する。
【背景技術】
【０００２】
音楽或いは映像情報などを記録するＣＤやＤＶＤなどの光ディスク装置では、光ディスクを再生する際に、光ディスクに書き込まれている情報の中からロックすべき周波数に対応するパターンを読み取り、基準となるこの周波数をもとに各種信号処理を行うために必要な再生クロック信号の生成及び同期検出を行い、光ディスクの再生動作を行っている（例えば、特許文献１参照。）。
【０００３】
特許文献１などに記載しているＣＤ装置では、ｓｙｎｃコード（同期コードとも呼称される）でフレームの同期を行い、フレームのメインデータ領域に設けられたビットパターン、例えば、１１Ｔや１１Ｔ＋１１Ｔのビットパターンなどを周波数検出用として用い、このビットパターンを読み取って周波数とし、基準となるこの周波数をもとにＰＬＬ回路を動作させて、信号処理を行うための再生クロック信号（ＰＬＣＫ）の生成及び同期検出を行っている。
【０００４】
ところが、様々なソフトを用いて作成されたＣＤ−Ｒ、ＣＤ−ＲＷ、或いはＣＤ−ＤＡ（Digital  Audio）等では、例えば、８−１４変調された変調信号の低周波成分を抑制するために行うためのＤＳＶ（Digital  Sum  Value）制御用の所定ビットパターンが、ＤＳＶ制御を行わない形態の連続ビットパターンとして設けられている。或いは、フレームのメインデータ領域に１１Ｔや１１Ｔ＋１１Ｔなどの連続ビットパターンが設けられていないものなどがある。
【０００５】
この様な光ディスクでは１１Ｔなどに比べてビットパターン数の少ない７Ｔ、７Ｔ＋７Ｔ、８Ｔ、或いは８Ｔ＋８Ｔなどからなるビットパターンを読み取って、このビットパターンから周波数信号を検出しているので、本来ロックすべき周波数とは異なる周波数でロックされ、光ディスクを正常に再生できないという問題点がある。
【０００６】
また、光ディスクの起動時などの低回転速度の場合、基準となる周波数検出用の１１Ｔや１１Ｔ＋１１Ｔなどのビットパターンを検出せずに、誤って７Ｔ、７Ｔ＋７Ｔ、８Ｔ、或いは８Ｔ＋８Ｔなどからなるビットパターンを検出し、本来ロックすべき周波数とは異なる周波数でロックされ、光ディスクを正常に再生できないという問題点がある。
【特許文献１】特開２００４−７１０７４号公報（頁２３、図１）
【発明の開示】
【発明が解決しようとする課題】
【０００７】
本発明は、周波数検出用として適切なビットパターンが設けられていない場合、或いは誤ったビットパターンが検出された場合でも本来のロックすべき周波数を生成できる光ディスク再生装置を提供する。
【課題を解決するための手段】
【０００８】
上記目的を達成するために、本発明の一態様の光ディスク再生装置は、光ディスクから読み取られ、変調された変調信号及びクロック信号を入力し、前記変調信号のメインデータ領域に設けられたビットパターンから、前記ビットパターンにもとづいた周波数信号を検出する周波数検出手段と、前記ビットパターンが所定のビットパターンの場合、基準となる第１の周波数信号を入力し、前記第１の周波数信号から再生クロック信号を生成し、前記ビットパターンが前記所定のビットパターンと異なる場合、前記第１の周波数信号とは異なる第２の周波数信号を入力し、前記第２の周波数信号を前記第１の周波数信号に変換して前記再生クロック信号を生成し、前記再生クロック信号及び前記クロック信号を出力するＰＬＬ部と、前記変調信号及び前記ＰＬＬ部から出力された同期をとるためのクロック信号を入力し、同期検出を行う同期検出手段と、前記変調信号を入力し、前記所定ビットパターンが検出された場合、所定期間内のサブコード或いはＩＤコードが連続して読み取ることができるかの判定を行うコード検出回路と、前記周波数検出回路から出力された前記周波数信号、前記同期検出回路から出力された同期検出信号、及び前記コード検出回路から出力された周波数検出出力制御信号を入力し、前記第１の周波数信号の場合、前記第１の周波数信号を前記ＰＬＬ部に出力し、前記所定期間内の前記サブコード或いは前記ＩＤコードが連続して読み取ることができない場合、前記第２の周波数信号を前記ＰＬＬ部に出力する周波数検出出力制御手段とを具備することを特徴とする。
【０００９】
また、上記目的を達成するために、本発明の他態様の光ディスク再生装置は、光ディスクから読み取られ、８−１４変調された変調信号及びクロック信号を入力し、前記変調信号のメインデータ領域に設けられたビットパターンから、前記ビットパターンにもとづいた周波数信号を検出する周波数検出手段と、前記ビットパターンが所定のビットパターンの場合、基準となる第１の周波数信号を入力し、前記第１の周波数信号から再生クロック信号を生成し、前記ビットパターンが前記所定のビットパターンと異なる場合、前記第１の周波数信号とは異なる第２の周波数信号を入力し、前記第２の周波数信号を前記第１の周波数信号に変換して前記再生クロック信号を生成し、前記再生クロック信号及び前記クロック信号を出力するＰＬＬ部と、前記変調信号及び前記ＰＬＬ部から出力された同期をとるためのクロック信号を入力し、同期検出を行う同期検出手段と、前記変調信号を入力し、前記ビットパターンが検出された場合、所定期間内のサブコードが連続して読み取ることができるかの判定を行い、前記ビットパターンが検出されない場合、周波数検出出力制御信号を出力するサブコードブロック検出回路と、前記周波数検出回路から出力された前記周波数信号、前記同期検出回路から出力された同期検出信号、及び前記サブコードブロック検出回路から出力された周波数検出出力制御信号を入力し、前記第１の周波数信号の場合、前記第１の周波数信号を前記ＰＬＬ部に出力し、前記所定期間内の前記サブコードが連続して読み取ることができない場合、前記第２の周波数信号を前記ＰＬＬ部に出力する周波数検出出力制御手段とを具備することを特徴とする。
【００１０】
更に、上記目的を達成するために、本発明の別の態様の光ディスク再生装置は、光ディスクから読み取られ、８−１６変調された変調信号及びクロック信号を入力し、前記変調信号のメインデータ領域に設けられたビットパターンから、前記ビットパターンにもとづいた周波数信号を検出する周波数検出手段と、前記ビットパターンが所定のビットパターンの場合、基準となる第１の周波数信号を入力し、前記第１の周波数信号から再生クロック信号を生成し、前記ビットパターンが前記所定のビットパターンと異なる場合、前記第１の周波数信号とは異なる第２の周波数信号を入力し、前記第２の周波数信号を前記第１の周波数信号に変換して前記再生クロック信号を生成し、前記再生クロック信号及び前記クロック信号を出力するＰＬＬ部と、前記変調信号及び前記ＰＬＬ部から出力された同期をとるためのクロック信号を入力し、同期検出を行う同期検出手段と、前記変調信号を入力し、前記ビットパターンが検出された場合、所定期間内のＩＤコードが連続して読み取ることができるかの判定を行い、前記ビットパターンが検出されない場合、周波数検出出力制御信号を出力するＩＤコード検出回路と、前記周波数検出回路から出力された前記周波数信号、前記同期検出回路から出力された同期検出信号、及び前記ＩＤコード検出回路から出力された周波数検出出力制御信号を入力し、前記第１の周波数信号の場合、前記第１の周波数信号を前記ＰＬＬ部に出力し、前記所定期間内の前記ＩＤコードが連続して読み取ることができない場合、前記第２の周波数信号を前記ＰＬＬ部に出力する周波数検出出力制御手段とを具備することを特徴とする。
【発明の効果】
【００１１】
本発明によれば、周波数検出用として適切なビットパターンが設けられていない場合、或いは誤ったビットパターンが検出された場合でも本来のロックすべき周波数を生成できる光ディスク再生装置を提供することができる。
【発明を実施するための最良の形態】
【００１２】
以下本発明の実施例について図面を参照しながら説明する。
【実施例１】
【００１３】
まず、本発明の実施例１に係る光ディスク再生装置について、図面を参照して説明する。図１はＣＤ再生装置の構成を示すブロック図、図２はＰＬＬ及び同期検出部の構成を示すブロック図である。本実施例では、ＣＤ−ＤＡ規格の音楽情報を再生できるＣＤ装置を用いている。なお、ＣＤ−ＤＡはＲｅｄ  Ｂｏｏｋとも呼称されている。
【００１４】
図１に示すように、ＣＤ再生装置３０には、光ディスク１、スピンドルモータ２、光ピックアップ３、ＲＦ  Ａｍｐ４、サーボ回路５、モータドライバ６、信号処理部７、及びシステムコントローラ８が設けられている。信号処理部７には、２値化回路１１、ＰＬＬ（Phase  Lock  Loop）＆同期検出部１２、ＥＦＭ復調回路１３、ＥＣＣ（Error  Correcting  Circuit）１４、及びＤ／Ａ１５が設けられている。そして、信号処理部７はシステムコントローラ８から出力される指令信号にもとづいて信号処理を行う。
【００１５】
光ディスク１は、スピンドルモータ２により線速度一定（ＣＬＶ）により回転駆動された状態で光ピックアップ３により記憶されている情報が読み取られる。光ピックアップ３は、光ディスク１に対して波長７８０ｎｍを有するレーザ光を照射し、その反射光から光ディスク１に記録された情報を読み取る。
【００１６】
ＲＦ  Ａｍｐ４は、光ピックアップ３から出力された情報を入力し、入力された情報を増幅処理及び演算処理などを行い、変調された再生ＲＦ信号、トラッキングエラー信号（ＴＫ）、及びフォーカスエラー信号（ＦＫ）などを得る。サーボ回路５は、ＲＦ  Ａｍｐ４から出力されたトラッキングエラー信号（ＴＫ）、及びフォーカスエラー信号（ＦＫ）を入力し、システムコントローラ８からの指令にもとづいて光ピックアップ３を制御してフォーカス及びトラッキング制御を行う。２値化回路１１は、ＲＦ  Ａｍｐ４から出力され、変調された再生ＲＦ信号を入力し、２値化された８−１４変調信号（８ビットのワードを１４ビットのワードに変調した変調信号）としてのＥＦＭ信号を生成する。
【００１７】
ＥＦＭ復調回路１３は、２値化回路１１から出力されたＥＦＭ信号を入力し、１４−８復調信号（１４ビットのワードを８ビットのワードに復調した復調信号）を生成する。ＥＣＣ１４は、ＥＦＭ復調回路１３から出力された１４−８復調信号を入力し、エラー訂正処理対象となったデータをＣＩＲＣ（Cross  Interleaved  Read−Solomon  Code）符号を用いてパリティ処理によるエラー訂正処理及びデインターリーブ処理を行う。Ｄ／Ａ１５は、ＥＣＣ１４から出力され、エラー訂正処理及びデインターリーブ処理されたデジタル信号をアナログ変換し、その信号を音楽信号として出力する。
【００１８】
図２に示すように、ＰＬＬ＆同期検出部１２には、周波数検出回路２１、同期検出回路２２、サブコードブロック検出回路２３、位相比較器２４、周波数検出出力制御回路２５、回路定数変更回路２６、ＰＬＬ＆ＣＬＶサーボ回路２７、調整端子Ｐａｄ１、及び調整端子Ｐａｄ２が設けられている。
【００１９】
周波数検出回路２１は、ＥＦＭ信号を入力し、ＰＬＬ＆ＣＬＶサーボ回路２７から出力されたクロック信号により、基準となる周波数の検出を行う。同期検出回路２２は、ＥＦＭ信号を入力し、ＰＬＬ＆ＣＬＶサーボ回路２７から出力された同期を取るためのクロック信号により、フレームのメインデータ領域に設けられた周波数検出用のビットパターンを検出し、このビットパターンがフレーム内にあるかの判定、ＥＦＭ信号からフレームシンクを検出するための動作、及びフレームシンクの結果にもとづいてディスク回転速度を示すディスク回転信号（Ｖ）の出力などを行う。
【００２０】
サブコードブロック検出回路２３は、ＥＦＭ信号を入力し、フレームのメインデータ領域に設けられた周波数検出用のビットパターン、或いは類似ビットパターンが検出された場合、所定期間内のサブコードが連続して読み取ることができるかの判定を行う。ビットパターンが検出されない場合、周波数検出出力制御信号を出力する。
【００２１】
位相比較器２４は、ＥＦＭ信号とＰＬＬ＆ＣＬＶサーボ回路２７から出力されたクロック信号とを入力し、その位相を比較する。位相が同一の場合、信号出力を停止する。周波数検出出力制御回路２５は、周波数検出回路２１から出力された周波数信号、同期検出回路２２から出力された信号、及びサブコードブロック検出回路２３から出力された信号を入力し、例えば、同期検出回路２２が類似ビットパターンを検出した場合、同期検出回路２２から出力された信号により周波数信号の出力を抑制する。ただし、所定期間内のサブコードが連続して読み取ることができない場合には周波数信号を出力する。
【００２２】
回路定数変更回路２６は、ＲＣ回路からなり、位相比較器２４から出力された位相検出出力信号、及び周波数検出出力制御回路２５から出力された周波数検出出力信号を入力し、周波数信号の位相制御及び所定の周波数信号に調整する。
【００２３】
調整端子Ｐａｄ１は、周波数検出回路２５と回路定数変更回路２６との間に設けられ、調整端子Ｐａｄ２は位相比較器２４と定数変更回路２６との間に設けられている。調整端子Ｐａｄ１、調整端子Ｐａｄ２に印加する電位、例えば、高電位側電源Ｖｄｄ、低電位側電源Ｖｓｓ、或いは無印加（ハイインピーダンス  ＨｉＺ）を選択することにより、正確に基準となる所定の周波数信号に調整することができる。
【００２４】
ＰＬＬ＆ＣＬＶサーボ回路２７は、回路定数変更回路２６から出力された周波数信号を入力し、内蔵されたＰＬＬ回路を動作させて、周波数信号に同期した再生クロック信号（ＰＬＣＫ）を生成する。なお、この周波数信号が基準となる所定の周波数信号とは異なる場合、内蔵するＶＣＯ（Voltage  Controlled  Oscillator）などを用いてこの周波数を基準となる所定の周波数信号に変換する。また、再生クロック信号（ＰＬＣＫ）などを用いてスピンドルモータ２のＣＬＶ制御を行うためのＣＬＶサーボ信号（ＣＬＶと図示）をモータドライバ６に出力する。ここで、再生クロック信号（ＰＬＣＫ）は、信号処理部７内における信号処理の基準クロック信号となる。
【００２５】
次に、２値化回路から出力されるＥＦＭ信号の信号波形について、図３及び図４を参照して説明する。図３は正常時でのＥＦＭ信号波形を示す図、図４は異常時での信号波形を示す図である。ここで、異常時とは、例えば、ＲＥＤ−ＢＯＯＫなどで推奨されているＤＳＶビットパターンとは異なるＤＳＶビットパターンが書き込まれているディスクを再生する場合、或いは基準となるべき周波数信号とは異なる周波数信号を用いて再生された場合であり、この場合本来ロックすべき周波数とは異なる周波数でロックされる。
【００２６】
図３に示すように、ＦＥＭ信号には１フレーム５８８ビットの情報がもりこまれている。先頭のｓｙｎｃコード（同期コードとも呼称される）は、１１Ｔ＋１１Ｔ＋２Ｔからなる２４ビットの情報を有し、１１Ｔ＋１１Ｔのビットパターンによりフレームの同期が行われる。
【００２７】
サブコードは、ＥＦＭワードとしての１４ビットの情報を有し、図示しないＤＳＶ制御を行うための結合ビットを介してｓｙｎｃコードに隣接して設けられている。メインデータは、ＥＦＭワードとしての１４ビットの情報を有し、結合ビットを介してサブコードに隣接し、繰り返し設けられている。そして、このメインデータの領域には基準となる周波数を検出するための、例えば、１１Ｔ＋１１Ｔのビットパターンが設けられている。ここで、１１Ｔ＋１１Ｔのビットパターンを設けているが、１１Ｔや１０Ｔなどのビットパターンを代りに設けてもよい。なお、ｓｙｎｃコード及びサブコードとは反対方向にメインデータと隣接して図示しないパリティが設けられている。
【００２８】
図４に示すように、メインデータの領域には基準となる周波数を検出するための１１Ｔ＋１１Ｔのビットパターンが検出されず、例えば、７Ｔ＋７Ｔのビットパターンが検出されている。なお、７Ｔ＋７Ｔのビットパターン以外、例えば、７Ｔ、８Ｔ、或いは８Ｔ＋８Ｔなどのビットパターンでも本来ロックすべき周波数信号とは異なる周波数でロックされる。
【００２９】
次に、ＣＤ再生装置の動作について図５及び図６を参照して説明する。図５は、従来のＣＤ再生装置の動作を示すタイミングチャート、図５（ａ）は正常波形のＥＦＭ信号が生成された場合、図５（ｂ）は異常波形のＥＦＭ信号が生成された場合、図６は本実施例のＣＤ再生装置の動作を示すタイミングチャート、図６（ａ）は正常波形のＥＦＭ信号が生成された場合、図６（ｂ）は異常波形のＥＦＭ信号が生成された場合である。ここで、異常波形とは、例えば、ＲＥＤ−ＢＯＯＫなどで推奨されているＤＳＶビットパターンとは異なるＤＳＶビットパターンが書き込まれているディスクを再生する場合、或いは基準となるべき周波数信号とは異なる周波数信号を用いて再生された場合で発生する波形である。なお、従来のＣＤ再生装置では、サブコートブロック検出回路から出力されたサブコード検出出力制御信号が周波数検出出力制御回路に入力されない。
【００３０】
図５に示すように、従来では、正常波形のＥＦＭ信号が生成された場合（図５（ａ））、ＥＦＭ信号中のメインデータ領域の１１Ｔ＋１１Ｔのビットパターンが検出され、基準となる周波数信号が検出される。この周波数信号にもとづいて再生クロック信号（ＰＬＣＫ）が生成され、正しい同期検出がなされて、サブコード判定が正常に判定される。このため、メインデータの情報が正しく読み取ることができるので音楽情報を再生することができる。
【００３１】
一方、異常波形のＥＦＭ信号が生成された場合（図５（ａ））、正常時の１１Ｔ＋１１Ｔのビットパターンとは異なる７Ｔ＋７Ｔのビットパターンが検出され、基準となるべき周波数信号が検出されない。このため、基準となるべき周波数信号とは異なる周波数信号でロックされるのでサブコード判定がＮＧとなり、メインデータの情報を読み取ることができないので音楽情報を再生することができない。
【００３２】
図６に示すように、本実施例では、正常波形のＥＦＭ信号が生成された場合（図６（ａ））、ＥＦＭ信号中のメインデータ領域の１１Ｔ＋１１Ｔのビットパターンが検出され、基準となる周波数信号が検出される。この周波数信号にもとづいて再生クロック信号（ＰＬＣＫ）が生成され、正しい同期検出がなされる。そして、サブコードは１回だけでカウントされ、サブコードブロック検出回路から出力される信号は“Ｌｏｗ”レベルとなり、サブコード判定が正常に判定される。このため、メインデータの情報が正しく読み取ることができるので音楽情報を再生することができる。
【００３３】
一方、異常波形のＥＦＭ信号が生成された場合（図６（ａ））、まず、正常時の１１Ｔ＋１１Ｔのビットパターンとは異なる７Ｔ＋７Ｔのビットパターンが検出され、基準となるべき周波数信号が検出されない。このため、基準となるべき周波数信号とは異なる周波数信号でロックされるのでサブコード判定がＮＧとなり、サブコードは複数回カウントされ、例えば、３回目のサブコードカウント後にサブコードブロック検出回路から出力される信号が“Ｈｉｇｈ”レベルとなる。このため、基準となるべき周波数信号とは異なる周波数信号でロックされずに、この周波数信号がＰＬＬ＆ＣＬＶサーボ２７ａに入力され、基準となるべき正常な周波数信号に変換される。従って、メインデータの情報が正しく読み取ることができるので音楽情報を再生することができる。
【００３４】
上述したように、本実施例の光ディスク再生装置では、ＰＬＬ＆同期検出部１２にサブコートブロック検出回路２３、位相比較器２４、周波数検出出力制御回路２５、回路定数変更回路２６、及び調整端子Ｐａｄ１、Ｐａｄ２が設けられ、サブコートブロック検出回路２３から出力されたサブコードブロック検出出力制御信号が周波数検出出力制御回路２５に入力されている。
【００３５】
このため、正常時の１１Ｔ＋１１Ｔのビットパターンとは異なる、例えば、７Ｔ＋７Ｔのビットパターンが検出され、このビットパターンから基準となるべき周波数信号とは異なる周波数信号が検出された場合でも、ロックされずにこの周波数信号がＰＬＬ＆ＣＬＶサーボ２７に入力され、ＰＬＬ＆ＣＬＶサーボ２７が基準となるべき周波数信号にもとづいた再生クロック信号（ＰＬＣＫ）を生成し、正しい同期検出がなされる。
【００３６】
従って、基準となるべき周波数信号とは異なる周波数信号が検出された場合でも、光ディスク１に記憶されているメインデータの情報を正しく読み取ることができるので音楽情報を再生することができる。
【実施例２】
【００３７】
次に、本発明の実施例２に係る光ディスク再生装置について、図面を参照して説明する。図７はＤＶＤ再生装置の構成を示すブロック図、図８は復調部の構成を示すブロック図である。本実施例では、ＥＦＭ−ｐｌｕｓ信号に含まれているＩＤコードを検出するＤＶＤ―Ｒ装置を用いている。ここで、ＤＶＤ−Ｒに記憶される記録情報の物理フォーマットでは、セクターの同期をとるための同期パターン、ＩＤ情報、ＩＤ情報誤り訂正コード、予備データ、データブロック及びＥＣＣブロックからなるデータ部、及びエラー検出コードが１セクター単位ごとに設けられている。
【００３８】
図７に示すように、ＤＶＤ再生装置５０には、光ディスク１ａ、スピンドルモータ２ａ、光ピックアップ３ａ、サーボ制御回路５ａ、ドライバ６ａ、増幅回路４１、復調部４２、訂正部４３、システムデコーダ４４、ビデオデコーダ４５、エンコーダ４６、オーディオデコーダ４７、及びＤ／Ａ１５ａが設けられている。
【００３９】
光ディスク１ａは、スピンドルモータ２ａにより線速度一定（ＣＬＶ）により回転駆動された状態で光ピックアップ３ａにより記憶されている情報が読み取られる。光ピックアップ３ａは、光ディスク１ａに対して波長６５０ｎｍを有するレーザ光を照射し、その反射光から光ディスク１ａに記録された情報を読み取る。
【００４０】
増幅回路４１は、光ピックアップ３ａから出力された情報を入力し、入力された情報を増幅処理及び演算処理などを行い、変調された再生ＲＦ信号を２値化した８−１６変調信号（８ビットのワードを１６ビットのワードに変調した変調信号）としてのＥＦＭ―ｐｌｕｓ信号、トラッキングエラー信号（ＴＫ）、及びフォーカスエラー信号（ＦＫ）などを得る。
【００４１】
図８に示すように、復調部４２には、周波数検出回路２１ａ、同期検出回路２２ａ、位相比較器２４ａ、周波数検出出力制御回路２５ａ、回路定数変更回路２６ａ、ＰＬＬ＆サーボ２７ａ、復調回路４８、ＩＤコード検出回路４９、調整端子Ｐａｄ１、及び調整端子Ｐａｄ２が設けられている。
【００４２】
復調回路４８は、増幅回路４１から出力されたＥＦＭ−ｐｌｕｓ信号を入力し、１６−８復調信号（１６ビットのワードを８ビットのワードに復調した復調信号）を生成する。
【００４３】
周波数検出回路２１ａは、ＥＦＭ−ｐｌｕｓ信号を入力し、ＰＬＬ＆ＣＬＶサーボ回路２７ａから出力されたクロック信号により、基準となる周波数の検出を行う。同期検出回路２２ａは、ＥＦＭ−ｐｌｕｓ信号を入力し、ＰＬＬ＆ＣＬＶサーボ回路２７ａから出力された同期を取るためのクロック信号により、セクターのメインデータ領域に設けられた周波数検出用のビットパターン（１４Ｔ）を検出し、このビットパターンがフレーム内にあるかの判定、ＥＦＭ−ｐｌｕｓ信号からシンクフレームを検出するための動作、及びシンクフレームの結果にもとづいてディスク回転速度を示すディスク回転信号（Ｖ）の出力などを行う。
【００４４】
ＩＤコード検出回路４９は、ＥＦＭ−ｐｌｕｓ信号を入力し、セクターのメインデータ領域に設けられた周波数検出用のビットパターン（１４Ｔ）、或いは類似ビットパターンが検出された場合、所定期間内のＩＤコード（ＩＤ情報及びＩＤ情報誤り訂正コード）が連続して読み取ることができるかの判定を行う。ビットパターンが検出されない場合、周波数検出出力信号を出力する。
【００４５】
位相比較器２４ａは、ＥＦＭ−ｐｌｕｓ信号とＰＬＬ＆ＣＬＶサーボ回路２７ａから出力されたクロック信号とを入力し、その位相を比較する。位相が同一の場合、信号出力を停止する。周波数検出出力制御回路２５ａは、周波数検出回路２１ａから出力された周波数信号、同期検出回路２２ａから出力された信号、及びＩＤコード検出回路４９から出力されたＩＤコード検出出力制御信号を入力し、例えば、同期検出回路２２ａが類似ビットパターンを検出した場合、同期検出回路２２ａから出力された信号により周波数信号の出力を抑制する。ただし、所定期間内のＩＤコードが連続して読み取ることができない場合には周波数信号を出力する。
【００４６】
回路定数変更回路２６ａは、ＲＣ回路からなり、位相比較器２４ａから出力された位相検出出力信号、及び周波数検出出力制御回路２５ａから出力された周波数検出出力信号を入力し、周波数信号の位相制御及び所定の周波数信号に調整する。
【００４７】
調整端子Ｐａｄ１は、周波数検出回路２５ａと回路定数変更回路２６ａとの間に設けられ、調整端子Ｐａｄ２は位相比較器２４ａと定数変更回路２６ａとの間に設けられている。調整端子Ｐａｄ１、調整端子Ｐａｄ２に印加する電位、例えば、高電位側電源Ｖｄｄ、低電位側電源Ｖｓｓ、或いは無印加（ハイインピーダンス  ＨｉＺ）を選択することにより、正確に基準となる所定の周波数信号に調整することができる。
【００４８】
ＰＬＬ＆ＣＬＶサーボ回路２７ａは、回路定数変更回路２６ａから出力された信号を入力し、内蔵されたＰＬＬ回路を動作させて、周波数信号に同期した再生クロック信号（ＰＬＣＫ）を生成する。なお、この周波数信号が基準となる所定の周波数信号とは異なる場合、ＶＣＯなどを用いて、この周波数信号を基準となる所定の周波数信号に変換する。また、再生クロック信号（ＰＬＣＫ）などを用いてスピンドルモータ２のＣＬＶ制御を行うためのＣＬＶ信号（ＣＬＶと図示）をサーボ制御回路５ａに出力する。ここで、再生クロック信号（ＰＬＣＫ）は、復調部４２、訂正部４３、システムデコーダ４４、ビデオデコーダ４５、エンコーダ４６、オーディオデコーダ４７、及びＤ／Ａ１５ａなどの信号処理の基準クロック信号となる。
【００４９】
サーボ制御回路５ａは、増幅回路４１から出力されたトラッキングエラー信号（ＴＫ）、及びフォーカスエラー信号（ＦＫ）を入力し、図示しないコントローラからの指令にもとづいて光ピックアップ３ａを制御するフォーカス及びトラッキング信号を生成する。また、サーボ制御回路５ａは復調部４２から出力されたスピンドルモータ２ａのＣＬＶ制御を行うためのＣＬＶ信号（ＣＬＶと図示）を入力する。
【００５０】
ドライバ６ａは、サーボ制御回路５ａから出力されたフォーカス及びトラッキング信号を入力して、光ピックアップ３ａを制御する。また、ドライバ６ａはサーボ制御回路５ａから出力されたＣＬＶ信号にもとづいてスピンドルモータ２ａのＣＬＶ制御を行う。
【００５１】
訂正部４３は、復調回路４８から出力された１６−８復調信号を入力し、エラー訂正処理対象となったデータを訂正する。システムデコーダ４４は、訂正部４３から出力されたＤＶＤデータストリームをデコーディングしてビデオデータストリーム及びオーディオデータストリームに分離出力する。ビデオデコーダ４５は、システムデコーダ４４から出力されたビデオデータストリームをデコーディングして再生可能な映像データに変換する。エンコーダ４６は、ビデオデコーダ４５から出力された再生可能な映像データをＮＴＳＣやＰＡＬなどの映像表示方式にエンコードしてビデオ信号として出力する。
【００５２】
オーディオデコーダ４７は、システムデコーダ４４から出力され、符号化されたオーディオデータストリームを元のオーディオデータに変換出力する。Ｄ／Ａ１５ａは、オーディオデコーダ４７から出力されたデジタル信号をアナログ信号に変換してオーディオ信号として出力する。
【００５３】
上述したように、本実施例の光ディスク再生装置では、ＩＤコード検出回路４９、位相比較器２４ａ、周波数検出出力制御回路２５ａ、回路定数変更回路２６ａ、及び調整端子Ｐａｄ１、Ｐａｄ２が設けられ、ＩＤコード検出回路４９から出力されたＩＤコード検出出力制御信号が周波数検出出力制御回路２５ａに入力されている。
【００５４】
このため、正常時の１４Ｔのビットパターンとは異なるビットパターンが検出され、このパターンから基準となるべき周波数信号とは異なる周波数信号が検出された場合でも、ロックされずに、基準となるべき周波数信号とは異なる周波数信号がＰＬＬ＆ＣＬＶサーボ２７ａに入力され、ＰＬＬ＆ＣＬＶサーボ２７ａが基準となるべき周波数信号にもとづいた再生クロック信号（ＰＬＣＫ）を生成し、正しい同期検出がなされる。
【００５５】
従って、基準となるべき周波数信号とは異なる周波数信号周波数信号が検出された場合でも、光ディスク１ａに記憶されているメインデータの情報を正しく読み取ることができるので映像情報及び音楽情報を再生することができる。
【００５６】
本発明は、上記実施例に限定されるものではなく、発明の趣旨を逸脱しない範囲で、種々、変更してもよい。
【００５７】
例えば、実施例１ではＣＤ−ＤＡ規格のＣＤ装置、実施例２ではＤＶＤ−Ｒ装置について説明したが、その他の、例えば、Ｏｒａｎｇｅ  ＢｏｏｋであるＣＤ−Ｒｅｃｏｒｄａｂｌｅ装置（ＣＤ−Ｒ、ＣＤ−ＲＷを含む）、ＤＶＤ−ＲＷ装置、或いは光磁気ディスク（ＭＯ  Magneto−Optical  disk）などにも適用できる。
【図面の簡単な説明】
【００５８】
【図１】本発明の実施例１に係るＣＤ再生装置の構成を示すブロック図。
【図２】本発明の実施例１に係るＰＬＬ及び同期検出部の構成を示すブロック図。
【図３】本発明の実施例１に係る正常時でのＥＦＭ信号波形を示す図。
【図４】本発明の実施例１に係る異常時でのＥＦＭ信号波形を示す図。
【図５】本発明の実施例１に係る従来のＣＤ再生装置の動作を示すタイミングチャート。
【図６】本発明の実施例１に係る本実施例のＣＤ再生装置の動作を示すタイミングチャート。
【図７】本発明の実施例２に係るＤＶＤ再生装置の構成を示すブロック図。
【図８】本発明の実施例２に係る復調部の構成を示すブロック図。
【符号の説明】
【００５９】
１、１ａ、  光ディスク
２、２ａ  スピンドルモータ
３、３ａ  光ピックアップ
４  ＲＦ  Ａｍｐ
５  サーボ回路
５ａ  サーボ制御回路
６  モータドライバ
６ａ  ドライバ
７  信号処理部
８  システムコントローラ
１１  ２値化回路
１２  ＰＬＬ＆同期検出回路
１３  ＥＦＭ復調回路
１４  ＥＣＣ
１５、１５ａ  Ｄ／Ａ
２１、２１ａ  周波数検出回路
２２、２２ａ  同期検出回路
２３  サブコードブロック検出回路
２４、２４ａ  位相比較器
２５、２５ａ  周波数検出出力制御回路
２６、２６ａ  回路定数変更回路
２７、２７ａ  ＰＬＬ＆ＣＬＶサーボ
３０  ＣＤ再生装置
４１  増幅回路
４２  復調部
４３  訂正部
４４  システムデコーダ
４５  ビデオデコーダ
４６  エンコーダ
４７  オーディオデコーダ
４８  復調回路
４９  ＩＤコード検出回路
５０  ＤＶＤ再生装置
Ｐａｄ１、Ｐａｄ２  調整端子
【図１】
2006155824.tif 000003
【図２】
2006155824.tif 000004
【図３】
2006155824.tif 000005
【図４】
2006155824.tif 000006
【図５】
2006155824.tif 000007
【図６】
2006155824.tif 000008
【図７】
2006155824.tif 000009
【図８】
2006155824.tif 000010